(57)【要約】【課題】  脚部を２本以上有する把持具を簡単な構造で蓋内面に着脱自在に構成した容器、その把持具を蓋部より外して、外部にある物体を容器内部に取り入れあるいは容器内部にある物品を容器外部に取り出すことが容易な構造の容器、および容器に収納物を入れた状態で移動する際も、その把持具を容器内部に取り込んだ状態で容器外部との接触がない状態とすることができる構造の容器の提供。【解決手段】  容器本体、蓋部、その容器本体と蓋とを着脱自在に固定する固着部、およびその蓋部内面に止着部を介して着脱自在に固定された、少なくとも二本の脚部とその脚部を連結する連結基部を含む把持具を有する容器。その止着部が、蓋内面に設けた少なくとも１つの突起部と、その突起部に対応して把持具の連結基部に設けた係止部で構成される前記容器。【選択図】      図１
2005170476.tif 000002
【特許請求の範囲】
【請求項１】
容器本体、その容器本体と固着部を介して着脱自在に固定された蓋部、およびその蓋部内面に止着部を介して着脱自在に固定された、把持部を有する少なくとも二本の脚部とその脚部を連結する連結基部を含む把持具、を有する容器。
【請求項２】
その止着部が、蓋内面に設けた少なくとも１つの突起部と、その突起部に対応して把持具の連結基部に設けた係止部の組み合わせ、又は把持具の連結基部に設けた少なくとも１つの突起部とその突起部に対応して蓋内面に設けた係止部の組み合わせで構成された、請求項１に記載の容器。
【請求項３】
その係止部が、突起部に対応して設けた突起部の挿入される挿入孔部と、その突起部を固定するスリット部で構成される係止孔である、請求項２に記載の容器。
【請求項４】
スリット部が内向けスリット部で構成される請求項３に記載の容器。
【請求項５】
対向する把持部の少なくとも一方の対向面を凹面とする、請求項１〜４のいずれか一項に記載の容器。
【請求項６】
把持部の少なくとも一部が広巾状把持部であり、広巾状把持部の少なくとも一部に刃部を設けた、請求項１〜５のいずれか一項に記載の容器。
【請求項７】
脚部に補強リブを設けた、請求項１〜６のいずれか一項に記載の容器。
【請求項８】
脚部間の間隔を把持部に向って拡開するように構成した、請求項１〜７のいずれか一項に記載の容器。
【請求項９】
脚部に長さ目盛りを付した、請求項１〜８のいずれか一項に記載の容器。
【請求項１０】
その長さ目盛りを切欠状に構成し、蓋部および連結基部側と把持部に把持した収納物とのバランス支点として、その支点位置により収納物の質量を計測できるようにした、請求項１〜９のいずれか一項に記載の容器。
【請求項１１】
容器の少なくとも一部に取り付け部を形成した請求項１〜１０のいずれか一項に記載の容器。
【請求項１２】
容器の少なくとも一部に記録部を設けた請求項１〜１１のいずれか一項に記載の容器。
【請求項１３】
容器の一部に通気部または通液部を設けた請求項１〜１２のいずれか一項に記載の容器。
【請求項１４】
糞便採取、輸送、加熱容器である、請求項１〜１３のいずれか一項に記載の容器。
【発明の詳細な説明】
【技術分野】
【０００１】
本発明は、把持具を一体とした容器、特に所定のものを採取し、携帯し、保存するのに有効な容器に関する。
【背景技術】
【０００２】
従来、容器内部に他の物品を収納するものとして、刷毛を容器の蓋に一体に固定した塗料容器が知られている（特許文献１）。この刷毛は、蓋に一体に設けられており、その成形が煩雑である。他の物品として、ストローを容器内部に収納した容器は知られているが（特許文献２参照）、このストローは、胴部内に収容された飲料を吸引するためのものであって、常に胴部側に一体に保持されている。そのストローの保持構造も複雑である。また、容器本体内の収納物の乾燥を目的として、乾燥剤を容器の蓋内側に着脱可能に収納した容器は知られている（特許文献３参照）。同文献には、その収納構造として、蓋の内側にテーパー状の凹部を設けること、ホック構造とすることが記載されている。さらに、保持すべき物品をへらとして、容器の外周部に一体に設けた保持孔にへらの柄部分を挿入保持する容器が知られている（特許文献４参照）。しかしながら、このへらは、容器の外部に保持されており、容器の取扱い上注意を要し、またその保持孔を有する容器の成形も簡単とは言えず、さらに利用の際にすくい部を持って保持孔から抜き出ことの問題がある。
【０００３】
【特許文献１】特開２００２−２６３５５７号公報
【特許文献２】特開２００２−８７４６７号公報
【特許文献３】特開平１０−２９７６６６号公報
【特許文献４】特開２０００−３２６９８号公報
【発明の開示】
【発明が解決しようとする課題】
【０００４】
本願発明は、脚部を２本以上有する把持具を簡単な構造で蓋内面に着脱自在に構成した容器を提供することを目的とするものである。また本願発明は、その把持具を蓋部より外して、外部にある物品（物体）（採取物）を容器内部に取り入れあるいは容器内部にある物品（容器内に入れるべきものまたは容器内に入れたもの、またはそれらを総称して「収納物」という。）を容器外部に取り出すことが容易な構造を提供すること、および容器に収納物を入れた状態で移動する際も、その把持具を容器内部に一体として収納し、容器外部部との接触がない状態とすることができる構造を提供することを目的とするものである。さらに、本願発明は、上記の機能を有する容器を容易に製造できる構造とすることを目的とするものである。
【課題を解決するための手段】
【０００５】
本願発明は、上記課題を解決し、従来の容器が有している問題点を解消できる容器を提供するために、下記の各構成を有する。
【０００６】
第一に、本願発明は、容器本体、その容器本体と固着部を介して着脱自在に固定された蓋部、およびその蓋部内面に止着部を介して着脱自在に固定された、把持部を有する少なくとも二本の脚部とその脚部を連結する連結基部を含む把持具、を有する容器に関する。
【０００７】
第二に、本願発明は、上記第一の発明の容器において、その止着部が、蓋内面に設けた少なくとも１つの突起部と、その突起部に対応して把持具の連結基部に設けた係止部の組み合わせ、又は把持具の連結基部に設けた少なくとも１つの突起部とその突起部に対応して蓋内面に設けた係止部の組み合わせで構成された容器に関する。
【０００８】
第三に、本願発明は、上記第二の発明の容器において、その係止部が、突起部に対応して設けた突起部の挿入される挿入孔部と、その突起部を固定するスリット部で構成される係止孔である容器に関する。
【０００９】
第四に、本願発明は、前記第三の発明の容器において、スリット部が内向けスリット部で構成される容器に関する。
【００１０】
第五に、本願発明は、前記第一〜第四の発明の容器において、対向する把持部の少なくとも一方の対向面を凹面とする容器に関する。
【００１１】
第六に、本願発明は、前記第一〜第五の発明の容器において、把持部の少なくとも一部が広巾状把持部であり、広巾状把持部の少なくとも一部に刃部を設けた容器に関する。
【００１２】
第七に、本願発明は、前記第一〜第六の発明の容器において、脚部に補強リブを設けた容器に関する。
【００１３】
第八に、本願発明は、前記第一〜第七の発明の容器において、脚部間の間隔を把持部に向って拡開するように構成した容器に関する。
【００１４】
第九に、本願発明は、前記第一〜第八の発明の容器において、脚部に長さ目盛りを付した容器に関する。
【００１５】
第十に、本願発明は、前記第一〜第九の発明の容器において、その長さ目盛りを切欠状に構成し、蓋部および連結基部側と把持部に把持した収納物とのバランス支点として、その支点位置により収納物の質量を計測できるようにした容器に関する。
【００１６】
第十一に、本願発明は、前記第一〜第十の発明の容器において、容器の少なくとも一部に取り付け部を形成した容器に関する。
【００１７】
第十二に、本願発明は、前記第一〜第十一の発明の容器において、容器の少なくとも一部に記録部を設けた容器に関する。
【００１８】
第十三に、本願発明は、前記第一〜第十二の発明の容器において、容器の一部に通気部または通液部を設けた容器に関する。
【００１９】
第十四に、本願発明は、前記第一〜第十三の発明の容器において、糞便採取、輸送、加熱用容器に関する。
【発明の効果】
【００２０】
本願発明は、その把持具を蓋部より外して、外部にある物品（物体）を容器内部に取り入れあるいは容器内部にある物品を容器外部に取り出すことが容易な構造を提供でき、および容器に収納物を入れた状態で移動する際も、その把持具を容器内部に取り込んだ状態で容器外部との接触がない状態とすることができる構造を提供できる。さらに、本願発明は、上記の機能を有する容器を容易に製造できる構造を提供できる。
【発明を実施するための最良の形態】
【００２１】
以下に、本願発明の実施形態についてより詳細に説明するが、本願発明の範囲は、これらの実施の形態に限定して解釈されるべきでなく、本願発明の範囲は、特許請求の範囲の記載に基づいて、本願発明の精神に沿って様々な修正および変更が可能であることを考慮して解釈されるべきである。
【００２２】
本願発明の代表的な実施の形態について、以下に図面を参照してより詳細に説明する。
【００２３】
［容器］
図１には、容器本体１、突起部３の設けられた蓋部２および把持具４（脚部５および連結基部６を含む）で構成された容器が、内部に収集物１７を収納した状態で、またその蓋部がやや開いた状態で記載されている。この実施形態においては、容器全体が円筒状であるが、その全体形状は、楕円筒状、角筒状、裁頭円錐台状など適宜形状とすることができる。その際、組み立て前の容器のみを大量に保管、移送する場合のスペース節約のために、テーパーを付けてスタッキング性を改善することも考えられる。容器の寸法は、用途に応じて適宜選択され得る。容器の表面には内容量や物の寸法の計測などに利用できる目盛りを付し、収納物、採取物に関する情報の記録部を設けることができる。
【００２４】
一実施形態として、容器本体１を円筒形とし、その下方部分に段差を持たせて円筒形部の肉厚程度小径の有底円筒形にして、その縮径円筒部の外周にねじ溝を設け、他方、そのねじ溝に螺合し、螺合状態で容器本体外径と同じ外径となり、その下方は、容器本体下方部分と同様に段差縮径部と外周ねじ溝を設けた構成の継ぎ足し収納カップを順次繋ぎ合わせて、複数の収納物（糞便、植物、土器破片など）を独立して収納できる収納部が一体となった容器として使用することもできる。この際、各継ぎ足し収納カップの形状は円筒状に限られることはなく、また寸法や形状を各々異ならせることもでき、容器本体との係合も螺合に限られることなく、リブと係止溝との組み合わせ等の各種係合手段が採用できる。さらに、各継ぎ足し収納カップには、記録部を設けることにより内容物を明示することもできる。
【００２５】
［蓋部］
図２に示された本発明に係る蓋部２の形状は、円形上であるが、容器の入口形状に合わせて、円形、楕円形、矩形等適宜選択できる。蓋部２には、容器本体１と着脱自在に固定される構成が設けられている。蓋内面外周には溝部１３設けられていて、容器本体の上端部が挿入され、例えば溝部の外側リブの内周面に設けられたネジ溝１４と容器本体上端部外周に設けられたネジ溝１５との間で螺合により着脱自在に固着できる。また、蓋部の外側面は、補強と滑り止めの目的で円筒方向に沿った凹凸、条溝等の滑り止め部２３などを形成することが好ましい。図２には、蓋部２の内面に設けられて、後述する把持具の連結基部６に設けられた係止孔との間で着脱自在に試着される突起部３が示されている。蓋部２の寸法は、用途に応じて、容器本体の寸法等を考慮して適宜選択され得る。
【００２６】
［蓋部と容器本体との固着部］
図１に示された本発明の一実施形態においては、蓋部外周端に設けた逆Ｕ字状溝１３に、容器本体の側壁上端部を受け入れ、逆Ｕ字状溝の外側リブ内面に設けたねじ溝１４と、前記容器本体の側壁上端部の外面に設けたねじ溝１５とを螺合することにより容器本体１と蓋部２とを着脱自在に固定している。この固着部は、容器内の収納物が外部に漏れないように着脱自在に密封できれば、螺合以外のどのような構造でもよいが、着脱が容易であるものが好ましい。螺合以外の手段としては、蓋部の外周端部に環状溝を設け、それに対応する容器の外壁上端をその環状溝に嵌入させて、環状溝の弾性押圧作用で密着固定する手段、同様の位置に蓋部と容器本体側壁上端に互いに円周方向で等間隔に設けた傾斜付きフィンを、相互に入れ子状に押し込んだ後回転させて、フィン相互間の傾斜で密着固定する手段等さまざまな固着手段が利用できる。この際、固着部は、内容物によっては、通気性あるいは通液性を必要とするもの、または通気性あるいは通液性であることを妨げないもの、あるいは密封などの厳密な固着を必要としない場合もあり得る。
【００２７】
［把持具］
図３および４に示された本発明の一実施形態において、把持具４は、端部に把持部８を有する複数の脚部（図には二本示されている。）５と、それらを連結する連結基部６で構成される。連結基部６と蓋部２の内面との間で着脱自在に固定される止着部が構成されている。把持具４は、容器内に収納されるものであるから、その寸法形状は、容器の寸法に合わせて適宜選択されるべきである。
【００２８】
［把持具の脚部］
脚部５の数は、把持対象物が把持できる数であればよいが、通常の場合、２〜４本程度が好ましい。脚部５は、その中間部を指先で持ち、把持すべき対象物を脚部端部（把持部８）間に嵌み、把持し、容器内に収納できる形状、寸法であり、必要な強度および弾性を有するものであればよい。複数の脚部５は、連結基部６から把持部８に向って、各脚部の間隔が拡開するようにして、把持対象物を把持し易くすることが好ましい。
【００２９】
把持具４の脚部端部に設けた把持部８は、ピンセット状に先端が細くなる細形状、ピン状、元巾形状、矩形状、円形状、楕円形状など様々な形状とすることができる。例えば、その先端が次第に細くなるようにして細かい物を取扱いし易くすることができる。また、図６に示すように、脚部の端近くを、広巾状とすること（広巾状把持部１０）は、把持対象物が大き目のものである場合には好ましい。さらに、把持部８は、把持対象物を確実に把握するために、把持部内面を凹凸、梨地状に形成する（図５の滑り止め部１２）ことができる。また、把持対象物（収納物）を必要な寸法に切断するために、把持部８の一部を広巾状にし（広巾状把持部１０）、その外周辺の一部を刃部１１とすることも便利である。また、把持部の対向する面の少なくとも一方を凹面状（スプーン状）として対象物を把持し易くすることも好ましい。また、スプーン状にした凹面には、等高線様に容量を示すメモリを付して、スプーン状凹面で掬い取る容量を把握できるようにするのも、特にこのような構成の容器を野外における採集物の収集等のフィールドワーク用容器として用いる場合に便利である。
【００３０】
さらに、図３〜５、図７および８に示すように、脚部５の長さ方向の少なくとも一部に補強リブ９を設けて、脚部５の機械的強度、特に耐曲げ強度を向上させることも好ましい。補強リブ９の設ける位置は、脚部中央部内面・外面（９−１）、脚部両側端（９−２）などであり、１つ以上設けることができる。
【００３１】
さらに、図７に示した本発明の一実施形態においては、脚部５の長さ方向の側部に沿って、長さ目盛りを設けることが、把持対象物の寸法などを計測するのに有効である。長さ目盛り部は切欠１８により構成してもよい。また、その切欠１８は、支点移動棹ばかりが形成できるように、一本の脚部の両側面に切欠が内側に向うように形成してもよく、脚部が二本の場合、二本の脚部のそれぞれ同じ側端面で把持部の把持面と直交する位置に設けることもできる（図７参照）。その長さ目盛りの必要位置に複数の切欠を設けて、その切欠を支点として、適宜支点位置を移動させて、把持部８に把持された把持対象物の質量と、連結基部側（蓋部を付けた状態または外した状態）の質量とをバランスさせることにより、把持対象物の質量を計測することができる。切欠１８を設ける場合は金型をパーツの組合せ構成とするなどの工夫により成形品の離型を可能とすることが必要である。
【００３２】
ここで計量に当って把持対象物を確実に捕捉・載置する工夫については説明する。本発明の把持具の一実施形態を示す図８においては、各脚部の把持部１０はスプーン状で広巾状に形成されている。把持部の図８において紙面手前側には刃部１１が設けられている。この刃部１１の反対側には、スプーン状把持面と直交する方向（図８の紙面方向）に計量用受け皿状部２０を設ける。このように構成された２本の脚部５間に拘束リング１９を嵌める。計量時には、各脚部中央を押えて把持部により計量すべき対象物を把持し、同時に上記計量用受け皿状部２０に載置した状態で、拘束リング１９を把持部１０方向に移動させる。移動により、計量すべき対象物の把持状態を拘束し、しかも計量用受け皿部に載置した状態を拘束する。これにより、手を脚部より離しても、一部重ね状態にした計量受け皿部から計量対象物が落下することはない。ここで、ひもなどを切欠目盛り部に渡して、吊ばかりの要領で、連結部側質量と受け皿側質量とをバランスさせ、算術計算により対象物の質量を計測することができる。以上の構成によれば、野外において対象物を計量器具を別途用意することなく簡単に計量することができる。特にフィールドワークにおいて便利である。
【００３３】
［把持具と蓋部の止着部］
本願発明に係る容器においては、蓋内面に止着部を介して容器内部に把持具４を着脱自在に固定している。その止着部の一形態を、蓋部内面を示す図２と把持具を示す図３および４を参照して説明する。図２に示されているように蓋部２の内面には一つ以上の突起が設けられている（図２においては二つの場合が記載されている）。ここでは、突起を蓋部内面に設けた事例を説明しているが、突起部を蓋部内面側に設けるか、把持具の連結部側に設けるかは、状況に応じて選択し得る。図３および４に示された把持具４は、複数の脚部５（図においては、２本の場合が記載されている。）と、それを連結する連結基部６で構成されている。その連結基部６には、係止孔７が設けられている。その係止孔７には、図３および４に示されているとおり、挿入孔部７−１と内向スリット部７−２が設けられている。挿入孔部７−１は、前記の蓋の裏側に設けられた突起３を把持具の蓋内面に係止するに当って、最初に突起部３が容易に挿入できる寸法である。次いで、挿入された突起部３は、蓋部２と把持具４の回動作用により、内向スリット部７−２に押し込まれて、把持具４と蓋部２との着脱自在の止着がなされる。ここで内向スリット部は、蓋部と脚部との相対的な回動により止着を完了できる構造であり、蓋部あるいは脚部の中心部を軸として、円周上に形成され、円弧状にまたは直線状のスリット部の先端に向って、回転軸の軸方向に近づくように（内側に向うように）形成されている。つまり挿入孔部からスリット部の先端に向って回転軸中心に近づくように形成されている。つまり、連結基部中心からスリット孔の中央部までの距離がスリット孔終端部に向って次第に短くなるように形成されている。またスリット部は次第に奥に向って狭くなるようにすると、より一層緊密で安定な固着をする上で好ましい。この事例ではスリット部は、内向するように形成されているが、蓋部と脚部との止着が完全にできるものであれば、スリット部は、中心からの距離が離れるように形成されていても良い。止着の円滑性からみて、スリット部は内向する方向に形成されることが好ましく、さらに円弧状に形成されることがより好ましい。他の態様として、スリット孔は直線状に形成して、蓋部と連結基部を相対的に直線状にスライドさせて固着することもできる。その場合は、スリット間隔を移動に伴い狭くし、或いは広くし、またはスリット幅を狭くするなどにより止着を確実にすることができる。その外に、止着部を面ファスナー構造とすることもできる。
【００３４】
突起部の数は、係止孔の数に対応して、一つ以上であればよいが、より安定に固着するには２つ以上を円周上に等間隔に設けることが好ましい。突起の形状は、係止作用が完全に果たし得るものであれば、どのような形状でもよいが、例えば突起の断面が、係止孔の内向スリット部７−１の最終端方向の幅が狭い台形状として、それに応じて最終端方向に向ってスリット孔の巾が狭くなるようにするなどの工夫が考えられる。また、止着をより確実にするために、突起部先端に膨らみ部分を設けることも適切である。
【００３５】
以上のような構成であり、本願発明の容器は、把持具４と蓋部２とが別体に構成されているので、蓋部と把持具を一体に成形する場合に比べて飛躍的に成形が容易となり、成形効率があがる。また、成形後の部品の保管容易性、保管スペースの節約においても優れている。また、本願発明の容器は、特に容器が手中に把持できる程度の寸法の場合、喩え片手であっても、把持具４が止着された状態の蓋部を掌に持ち、指先で脚部５を回動または直線状にスライドさせることにより、係止を開放することができる。
【００３６】
図６に示すように、本願発明の容器に、容器の蓋部または容器本体に取り付け部２１（取り付け穴、係止フック、係止環）を設けると、フック、ひもなどで着衣、ベルト、リュックサックなどに取り付けることができて携帯が容易となる。
【００３７】
さらに、内容物が密閉性を要しないものあるいは密閉性を避ける必要があるものである場合には、容器の一部（蓋など）に細孔、スリット孔、メッシュ孔を設けることで、通気性あるいは通液性を持たせることも、容器の収納物に対応して選定できる。
【００３８】
本願発明の容器の材質は、プラスチック、金属等、格別限定されないが、成形性の良さ、軽量であること、柔軟性があること、耐衝撃があること、耐薬品性、潤滑性があることからプラスチックが好ましい。プラスチック材料としては、ポリエチレン、ポリプロピレンなどのオレフィン系樹脂、ポリアミド、ポリエステル、ＡＢＳ樹脂、ポリカーボネートなどの熱可塑性樹脂、および不飽和ポリエステル、メラミン含有樹脂などの熱硬化性樹脂が使用できる。その他にセルロース、キチン、キトサンなどの生分解性プラスチックあるいはビニルケトン樹脂などの光分解性樹脂などの分解性プラスチックを用いることもできる。これらの樹脂の内、容器の用途に応じて各種特性の優れたものを選択することができる。成形材料には、必要に応じて、公知の充填剤を添加できる。生分解性プラスチックにより成形された容器の場合、下記のように例えばフィールドワークにおいて使用する場合、万一紛失したとしても、環境汚染を防止できる。
【００３９】
プラスチックの成形は、従来の方法で実施可能であるが、射出成形、押出し成形、圧縮成形などが好ましい。
【００４０】
本願発明の容器は、前記のごとき構成を有するので、各種用途に使用できる。例えば、野菜、惣菜などを容器に入れてピクニックに行く際、把持具を容器の内部に一体として携帯できるので、忘れることもなく、また紛失することもなく、確実に携帯することができる。また、フィールドワークにおいて現地で植物、昆虫、鉱物などの採集の際、特に糞便など検体の採取の場合で、把持対象物（収納物）に触れてはならない場合、把持具を利用して対象物を把持して採取、回収して、その後、使用後の把持具を蓋内面に固着して、周辺を汚染することなく安全に収集・輸送し、検査・研究する場所において開蓋し、その把持具を利用して、検体を所定の位置に取り出すことができる。
【００４１】
本願発明の容器の典型的な利用形態の一つについて、近年北海道を中心として注目されているエキノコックス（寄生虫のさなだ虫の類）の分布状況のフィールド調査に当って動物の糞便の採取に利用する容器を例として以下に説明する。
【００４２】
エキノコックスは、主に野生動物（キタキツネ、野犬）を終宿主とし、その体内の腸管で発育し、卵を生育させる。この虫卵は、糞便と共に体外に排せつされ、何らかの形で、口を介して人体に進入することがある。人体に進入した虫卵は、肝臓などの内臓で悪性腫瘍のように増殖して、人体に甚大な被害をもたらせることがある。早期に発見されれば、薬により駆除し、また必要の場合、腫瘍部を切除することにより治療は可能である。また、糞便と共に排泄されたエキノコックスの虫卵が、ネズミを中間宿主として、野外に放し飼いされた飼い犬にまで感染した事例も報告されている。
【００４３】
しかしながら、そのエキノコックスの被害、特に人体に対する被害をなくするためには、対処法によるのではなく、上記の如きエキノコックスの生活環を根本から断ち切る必要がある。エキノコックスの駆除は、その主な終宿主であるキタキツネなどから、エキノコックスを薬により駆除することで可能となる。その駆除を効果的に実施するために、餌に混入させた駆除剤の効果的な散布領域を決めることが必要となる。つまり、エキノコックスによる汚染地域を把握するために、キタキツネなど野性動物をはじめとする動物の糞便を収集して糞便中のエキノコックスの虫卵の検査が必要となる。
【００４４】
一方、採取に用いた後の用具は、周囲を汚染しないようにしなければならない。また、広範な糞便のフィールド調査には、多くの人の協力が必要であり、これらの人の中には、容器、用具の取扱いに習熟していない人も含まれることがある。従来はこのような状況において、糞便を確実に、安全に、周囲を汚染することなく、採取、輸送する適切な採取容器が存在しなかった。
【００４５】
本願発明のエキノコックスの分布状況を把握するために使用される容器の一例を紹介すると、図１〜８に示す前記のような構成を有する。いうまでもないが把持部はかならずしも凹状としたり、凹凸内面としたり、刃部を設けたりすることは必要でなく、係止孔の形状や補強リブの要否も状況に応じて選されるべきである。ここで説明する事例は一つの好ましい形態を示すものであることに留意されるべきである。このような構成の容器は、ポリエチエレンを射出成形することによって成形できる。容器の形状・大きさは適宜選択できるが、例示すれば、外径が円筒状で、長さが１０ｃｍ、直径が３ｃｍ程度である。蓋２と容器本体１は螺合により着脱自在に構成される。連結基部６と一体に形成された２本の脚部５の長さは９ｃｍ、巾は１ｃｍ程度である。その脚部５の間隔は、連結基部６における１．８ｃｍから端部２．６ｃｍに次第に拡開している。図３に示す本発明の一実施形態では、巾方向の両端を内側に曲げて補強リブ９−２を形成している。さらに、巾方向の２箇所には脚部の長さ方向に沿って２本の補強リブ９−１を設けている。補強リブ９は、端部に設けた把持部８の手前まで伸びている。把持部８は、使用の形態により、先端方向に向って次第に巾を狭める構成として細かいものの把持を容易にすることができるが、この糞便の採集の使用例では、把持部８の一端側を広巾にすると共に、刃部１１を形成してある。連結基部６には、一対の係止孔７が、蓋部の内面に設けた一対の突起３に対応する位置に設けてある。係止孔７は、挿入孔部７−１（直径４ｍｍ）と内向スリット部７−２（彎曲状スリット巾２ｍｍ、長さ５ｍｍ）から構成される。
【００４６】
上記の容器本体１、蓋２および把持具４は、別体として射出成形されるので、成形が容易となる。実際に糞便の採取調査に出かける場合は、通常は、把持具４を蓋２内面に設けた突起３と係止孔７を介して蓋に止着した後、蓋と容器本体を螺合する。この突起３は、係止孔７の挿入孔部７−１に挿入された後、半径方向に回転させることにより、内向スリット部７−２に押し込まれて締着される。材質がポリエチエレンなどの弾性および潤滑性のある材料であるので、突起部３と係止孔７の係止がスムーズに行われる。好ましい実施形態においては、スリット部を彎曲内向スリットとすると共に、スリット部自体も挿入孔側からスリット部終端部に向かって次第にスリット幅を狭くすることで止着効果を高めることができる。
【００４７】
上記のとおり、把持具が容器本体に内蔵された状態で、携帯することができるので、把持具を忘れることもなく、糞便を発見すると把持具を改めて探すこともなく、把持具を容器が本利用形態のように小さい場合は、片手で係止を外して即座に採取が可能となる。蓋部が小さい場合、把持具を外さないで一体のまま採取に使用することもできる。採取に使用した把持具は、蓋内面に簡単に固定して、周辺を糞便あるいは虫卵で汚染することなく輸送、回収できる。持ち帰った糞便は、エキノコックスの虫卵の場合、容器内に入れた状態でオーブンにより適切な温度（７０℃〜１００℃）で所要の時間（１時間弱〜１２時間）処理することにより死滅させる。具体的には、８０℃程度で１時間あるいは７０℃の場合は１２時間程度加熱することにより、死滅させることができる。その後、常温でホルマリンあるいはアルコールを注入して細菌等の増殖を防ぎエキノコックス成虫由来の抗原を壊すことなく、長期間安定した状態で保存できる。その後は、公知の方法により、エキノコックスの虫卵の存否を検査することができる。容器の材料を選択する場合に、１００℃で１時間の加熱に耐性（少なくとも８０℃で２４時間加熱しても変形しないもの）を有することが必要である。携帯、保存および加熱処理の間、液体がこぼれないように密閉状態に保たれることが必要である。容器は、内容物が確認できるように透明または半透明とすることが適切である。
【００４８】
ここで、容器には、図６に示すように表示部（採取地、採取年月日、採取者、動物の種類、検査結果連絡先、郵送先（検査機関）、その他記載欄）を設けて、現地において直ちに記入することで、事後の分布状況調査などに役立てることができる。また、糞便が個人から病院経由で持ち込まれることもあることので、その場合の表示部には、動物病院名、依頼者（採取者）、採取した動物、検査年月日、検査結果などを追記できる欄を設けることができる。
【００４９】
検査終了した検体を入れた容器は、検査結果などを記入した状態で所定期間保存して、事後の研究、調査に活用させることができる。
【００５０】
上記の糞便採取容器は、上記の使用形態から明らかなとおり、耐変形強度を有すること、少なくとも８０℃以上の耐熱性を有すること、耐薬品があること、密閉性が十分にあることが求められている。
【００５１】
把持具の脚部には、前述のとおり長さ目盛りを入れて、糞便の形状寸法を測定することができるように構成できる。また、その目盛りの必要個所に切欠を設けて、その切欠を支点として、支点位置を移動させて、棹ばかりの原理で、蓋部側の質量と把持した糞便側の質量とをバランスさせることにより、糞便の質量を現場で簡易に測定することができる。この際、糞便の保持を確実にするために、広巾状把持部１０を凹面状（図４および５の１０参照）にしたり、凹凸状、梨地状などの滑り止め面（図５の１２参照）としたり、また側端部を把持面に対して直角に折り曲げる（図８の受け皿部２０参照）などの構成とすることができる。
【００５２】
図３〜５、図７および６に示すように、広巾状把持部１０には、刃部１１を設けて糞便を採取に必要なだけカットすることもできる。また把持部の対向面の少なくとも一方は凹面状（スプーン状）とすることにより（図４および５の８または１０参照）、把持対象物の把持・収集を容易にするばかりでなく、収集した内容物（例えばエキノコックスを含む糞をホルマリンに分散させた検体）あるいは液状の採集物の取り出し、粉末状、または泥状の鉱物資料などを容易に取り出すことができる。その際スプーン状凹面に先述のとおり等高線状の目盛りをつけることにより、掬い取る量を計量することができる。
【００５３】
以上のとおり、本願発明の容器は、その構成を有することにより、エキノコックスの虫卵が含まれる糞便を簡便に、安全に採取し、また把持具による周辺汚染をすることなく、検査対象の糞便を確実に輸送できる。
【００５４】
本願発明について、ここでは、特に野生動物中のエキノコックスの虫卵の存否を原野から糞便を採取して実施するための容器として説明したが、この用途に限られるものでないことは、前記したとおりである。動植物、微生物、菌類、鉱物資源、土器破片などの文化財収集物などを直接手に触れないで、把持具を利用して採取、回収する場合の容器として特に有効である。
【図面の簡単な説明】
【００５５】
【図１】図１は、把持具４を固定した蓋部２を容器本体１から僅かにゆるためた状態の容器全体の概略側面図である。
【図２】図２は、蓋部２の内面を示す図である。
【図３】図３は、係止孔７を有する連結部６の蓋部に止着する側から見た、把持具４の斜視図である。
【図４】図４は、スプーン状把持部８、刃部１１及び側端部リブ９−２を有する脚部５と係止孔７を有する把持具４の斜視図である。
【図５】図５は、凹凸面１２を有するスプーン状であって、下端部に刃部１１を有する広巾状把持部と脚部中央外面に設けた補強リブ９−１を有する脚部５の先端部の拡大説明図である。
【図６】図６は、継ぎ足し収納カップ２２を２つ容器本体１に順次螺着した状態の状態の容器全体の説明図である。
【図７】図７は、切欠状目盛り１５を有する複数の脚部の外周に拘束リング１９を嵌めた状態の把持具４の側面図である。
【図８】図８は、２本の脚部５間に嵌めた拘束リング１９を移動して、広巾状把持部の刃部１１の他端側に広巾状把持部１０に対して直角方向に形成した計量用受け皿状部２０を、一部重ね状態にした脚部先端部の説明図である。
【符号の説明】
【００５６】
１…容器本体
２…蓋部
３…突起部
４…把持具
５…脚部
６…連結基部
７…係止孔
７−１…係止孔の挿入孔部
７−２…係止孔の縮径部
８…把持部
９…補強リブ
１０…広巾状把持部
１１…刃部
１２…凹凸部
１３…溝部
１４、１５…ねじ溝
１６…表示部
１７…採取物、収納物、内容物
１８…目盛り切欠
１９…拘束リング
２０…計量受け皿部
２１…取り付け部（取り付け環）
２２…継ぎ足し収納カップ
２３…蓋外周滑り止め部
【図１】
2005170476.tif 000003
【図２】
2005170476.tif 000004
【図３】
2005170476.tif 000005
【図４】
2005170476.tif 000006
【図５】
2005170476.tif 000007
【図６】
2005170476.tif 000008
【図７】
2005170476.tif 000009
【図８】
2005170476.tif 000010